(57)【要約】【課題】印刷装置から排出された印刷媒体を、容易にカットできる印刷装置用ケースを提供する。【解決手段】印刷装置を収容する第１の開口部を閉塞するケース蓋１１と、印刷後の印刷媒体を排出する第２の開口部を閉塞するフラップ１３と、を備え、前記ケース蓋１１は前記第１の開口部を閉じたときに、前記第２の開口部を閉じたフラップの移動側部分とオーバーラップする。【選択図】図１
2016005889.tif 000002
【特許請求の範囲】
【請求項１】
印刷装置を収容する第１の開口部を閉塞するケース蓋と、印刷後の印刷媒体を排出する第２の開口部を閉塞するフラップと、を備え、前記ケース蓋は前記第１の開口部を閉じたときに、前記第２の開口部を閉じたフラップの移動側部分とオーバーラップすることを特徴とする印刷装置用ケース。
【請求項２】
吊り下げ式のケースであり、吊り下げ状態で前記第１の開口部が上向きに開口することを特徴とする請求項１に記載の印刷装置用ケース。
【請求項３】
前記ケース蓋は前記第１の開口部の縁を覆うことを特徴とする請求項２記載の印刷装置用ケース。
【請求項４】
前記フラップは前記第２の開口部の下側に開くことを特徴とする請求項２または３記載の印刷装置用ケース。
【請求項５】
前記フラップが閉塞する前記第２の開口部の縁に第１の面ファスナーを設け、
前記第１の面ファスナーと係合する第２の面ファスナーを前記フラップの裏面に設け、
前記フラップの表面に第３の面ファスナーを設け、
前記第３の面ファスナーと係合する第４の面ファスナーを前記ケース蓋に設け、
前記第３の面ファスナーは前記フラップが開いたときにケース側の第５の面ファスナーと係合する、
ことを特徴とする請求項１ないし４の何れか１項に記載の印刷装置用ケース。
【請求項６】
前記ケース蓋は、前記印刷装置をケース本体に収容した場合に前記印刷装置の操作ボタン・動作ステータスランプの双方又は一方と重なる位置に透過性を有するケース蓋窓を備えたことを特徴とする請求項１ないし５の何れか１項に記載の印刷装置用ケース。
【請求項７】
前記ケース蓋窓は、柔軟性、耐久性を備えた素材で構成されることを特徴とする請求項６に記載の印刷装置用ケース。
【請求項８】
前記ケース蓋窓は、ポリエチレンテレフタラートで構成されていることを特徴とする請求項７に記載の印刷装置用ケース。
【請求項９】
前記ケース本体は、前記印刷装置を前記ケース本体に収容した場合に前記印刷装置のロール紙収納部と重なる位置に透過性を有するケース本体窓を備えたことを特徴とする請求項６ないし８の何れか１項に記載の印刷装置用ケース。
【請求項１０】
前記ケース本体窓は、柔軟性、耐久性を備えた素材で構成されることを特徴とする請求項９に記載の印刷装置用ケース。
【請求項１１】
前記ケース本体窓は、ポリエチレンテレフタラートで構成されていることを特徴とする請求項１０に記載の印刷装置用ケース。
【発明の詳細な説明】
【技術分野】
【０００１】
本発明は、携帯型の印刷装置を収容する印刷装置用ケースに関する。
【背景技術】
【０００２】
従来、携帯型の印刷装置は、持ち運びの利便性を向上させるため、印刷装置用ケースに入れて持ち運びされることがある。この印刷装置用ケースには屋外での使用に鑑み防水性が必要とされている。
印刷装置用ケースには、印刷装置から印刷後の印刷媒体を排出する排紙用開口が設けられているのが一般的である（例えば、特許文献１参照）。特許文献１のケースは、防水性確保のため、印刷装置を出し入れするための収納用の開口の蓋と、排紙用開口を覆う排紙用開口蓋とを備えている。さらに、印刷装置の持ち運び時に排紙用開口蓋を閉じた状態で、排紙用の縁部分を覆うフラップを備えている。
【先行技術文献】
【特許文献】
【０００３】
【特許文献１】特開２０１０−２０１７４４号公報
【発明の概要】
【発明が解決しようとする課題】
【０００４】
特許文献１のケースでは、排紙用開口に、蓋とともにフラップを設けたことにより、防水性の確保を可能としているが、構成が複雑であるため、排紙用開口の蓋の開閉操作の手順が多くなることや、製造工数が多くなることが懸念される。このため、よりシンプルな構成で防水性を確保することが望まれていた。
本発明は、上述した事情に鑑みてなされたものであり、携帯型の印刷装置を収容する印刷装置用ケースにおいて、シンプルな構成で防水性を確保することを目的とする。
【課題を解決するための手段】
【０００５】
上記目的を達成するために、本発明は、印刷装置用ケースであって、印刷装置を収容する第１の開口部を閉塞するケース蓋と、印刷後の印刷媒体を排出する第２の開口部を閉塞するフラップと、を備え、前記ケース蓋は前記第１の開口部を閉じたときに、前記第２の開口部を閉じたフラップの移動側部分とオーバーラップすることを特徴とする。
この構成によれば、印刷装置用ケースのケース蓋を開かれて、第１の開口部から印刷装置が収容され、その後に、ケース蓋が閉じられて使用状態となる。このケース蓋を閉じる際には、印刷後の印刷媒体を排出する第２の開口部がフラップで閉じられ、次いで、閉じられたフラップの移動側部分と、ケース蓋とがオーバーラップして閉じられる。このため、ケース蓋を開くと、フラップの移動側部分の押さえがなくなり、フラップがケース蓋の開放側と反対の側に開かれるので、フラップを開く操作が簡単である。さらに、フラップの移動側部分がケース蓋で覆われるためフラップの移動側部分の防水性を確保できる。従って、シンプルな構成で、ケース蓋とフラップにより第１及び第２の開口部を閉塞し、防水性を確保できる。また、フラップの移動側部分にケース蓋がオーバーラップした状態では、フラップの移動側部分の開放側への移動がケース蓋により阻害される。このため、印刷装置を収容した印刷装置用ケースの持ち運び時に、意図しないフラップの解放を防止できるという利点がある。
【０００６】
また、本発明は、上記印刷装置用ケースにおいて、吊り下げ式のケースであり、吊り下げ状態で前記第１の開口部が上向きに開口することを特徴とする。
この構成によれば、防水性を有する吊り下げ式の印刷装置用ケースを、シンプルな構成で実現できる。この印刷装置用ケースは吊り下げ状態で第１の開口部が上向きに開口する構成となっているため、ケース蓋を開くことで、吊り下げ状態で第１の開口部から印刷装置を簡単に出し入れできる。
【０００７】
また、本発明は、上記印刷装置用ケースにおいて、前記ケース蓋は前記第１の開口部の縁を覆うことを特徴とする。
この構成によれば、ケース蓋が、第１の開口部の縁を覆うため、ケース蓋との間に隙間がなく、第１の開口部における防水性を確保できる。また、第１の開口部が上向きに開口し、ケース蓋が第１の開口部の縁を覆う構成とすれば、吊り下げ状態で印刷装置の出し入れが容易で、かつ印刷装置を出し入れする開口部を防水可能なケースを、容易に実現できる。また、例えば、第１の開口部の縁とともにフラップの移動側部分を覆うシンプルな構成により、ケース蓋で第１の開口部及びフラップの移動側部分を防水できる。
【０００８】
また、本発明は、上記印刷装置用ケースにおいて、前記フラップは前記第２の開口部の下側に開くことを特徴とする。
この構成によれば、フラップが第２の開口部の下側に開くため、吊り下げ状態においてフラップを容易に開くことができ、吊り下げ状態のまま印刷装置が印刷媒体を排出可能となる。また、この構成ではフラップの移動側部分が第２の開口部の上側となるが、この移動側部分にケース蓋がオーバーラップするので、フラップの端部の防水性も確保できる。さらに、フラップが下側に開くため、第２の開口部の上側に障害物のない構造とすることができる。例えば、印刷装置が有する排出口が第２の開口部に露出し、この排出口またはその近傍に紙切歯を配置して、印刷媒体をカット可能な構成とした場合、吊り下げ状態における利便性を鑑み、紙切歯を上部に、下向きに設けることがある。この場合、排出口から排出された印刷媒体を上向きに引っ張ることで、印刷媒体が紙切歯に当たって切断される。この操作において、フラップが第２の開口部の下側に開く場合は、開いたフラップが操作を妨げることがなく、容易に印刷媒体をカットできる。
【０００９】
また、本発明は、上記印刷装置用ケースにおいて、前記フラップが閉塞する前記第２の開口部の縁に第１の面ファスナーを設け、前記第１の面ファスナーと係合する第２の面ファスナーを前記フラップの裏面に設け、前記フラップの表面に第３の面ファスナーを設け、前記第３の面ファスナーと係合する第４の面ファスナーを前記ケース蓋に設け、前記第３の面ファスナーは前記フラップが開いたときにケース側の第５の面ファスナーと係合する、ことを特徴とする。
この発明では、面ファスナー同士を係合させることで、フラップおよびケース蓋の開閉時の何れの場合も、フラップおよびケース蓋を堅固に固定できる。例えば、フラップにケース蓋がオーバーラップする構成として、オーバーラップ部分に面ファスナーを配置すれば、ケース蓋とフラップ、及び、フラップと第２の開口部の縁を強く固定できる。
【００１０】
また、本発明は、上記印刷装置用ケースにおいて、前記ケース蓋は、前記印刷装置をケース本体に収容した場合に前記印刷装置の操作ボタン・動作ステータスランプの双方又は一方と重なる位置に透過性を有するケース蓋窓を備えたことを特徴とする。
この構成によれば、印刷装置を印刷装置用ケースに収容した状態のままで操作ボタン・動作ステータスランプを視認できる。
【００１１】
また、本発明は、上記印刷装置用ケースにおいて、前記ケース蓋窓は、柔軟性、耐久性を備えた素材で構成されることを特徴とする。
この構成によれば、印刷装置を印刷装置用ケースに収容した状態のままで操作ボタンを押した場合にもケース蓋窓の変形を抑制でき、使用可能な状態を維持できる。
【００１２】
また、本発明は、上記印刷装置用ケースにおいて、前記ケース蓋窓は、ポリエチレンテレフタラートで構成されていることを特徴とする。
この構成によれば、印刷装置を印刷装置用ケースに収容した状態のままで操作ボタンを押した場合にもケース蓋窓が折れる、あるいは変形することがなく、また、印刷装置用ケースが廃棄されるにあたり焼却しても環境を害さない。
【００１３】
また、本発明は、上記印刷装置用ケースにおいて、前記ケース本体は、前記印刷装置を前記ケース本体に収容した場合に前記印刷装置のロール紙収納部と重なる位置に透過性を有するケース本体窓を備えたことを特徴とする。
この構成によれば、印刷装置を印刷装置用ケースに収容した状態のままでロール紙収納部およびロール紙収納部に収納されたロール紙の残量を視認できる。
【００１４】
また、本発明は、上記印刷装置用ケースにおいて、前記ケース本体窓は、柔軟性、耐久性を備えた素材で構成されることを特徴とする。
本構成によれば、ケース本体窓が外部と接触した場合にも、ケース本体窓の変形を抑制でき、使用可能な状態を維持できる。
【００１５】
また、本発明は、上記印刷装置用ケースにおいて、前記ケース本体窓は、ポリエチレンテレフタラートで構成されていることを特徴とする。
本構成によれば、ケース本体窓が外部と接触した場合にも、ケース本体窓は折れる、あるいは変形することがなく、また、印刷装置用ケースが廃棄されるにあたり焼却しても環境を害さない。
【図面の簡単な説明】
【００１６】
【図１】本実施の形態に係るプリンター用ケースの斜視図である。
【図２】プリンターの使用状態のプリンター用ケースの斜視図である。
【図３】プリンター用ケースを下部から見た斜視図である。
【図４】プリンターを収容し、開口部を開いた状態のプリンター用ケースの斜視図である。
【図５】２つの開口部をともに開いた状態のプリンター用ケースの斜視図である。
【図６】プリンターをプリンター用ケースから取り出した状態の斜視図である。
【図７】プリンターを収容した状態でのプリンター用ケースの断面図である。
【図８】プリンター用ケースの断面図である。
【図９】プリンター用ケースにプリンターを収容した状態の斜視図である。
【発明を実施するための形態】
【００１７】
以下、図面を参照して本発明の一実施形態について説明する。
図１は、本実施の形態に係るプリンター用ケース１（印刷装置用ケース）の斜視図である。図２は、プリンター（印刷装置）１４１の使用状態のプリンター用ケース１の斜視図であり、図３は、プリンター用ケースを下部から見た斜視図である。
プリンター用ケース１は、後述するように、プリンター１４１（図４参照）を収納するケースであり、防水性のケース本体１０と、ケース蓋１１と、フラップ１３と、吊り下げ具２０とを備えて構成されている。
プリンター用ケース１は、プリンター１４１を収容した状態で、図１及び図２に示す向きで、使用者の腰バンド（不図示）等に吊り下げられて携帯される。プリンター１４１を使用する場合には、図２に示すように、フラップ１３が開かれた状態となる。以下の説明における上下方向は、図１及び図２に示す向きで吊り下げ具２０が懸架された状態を基準とする。すなわち、図１の矢印Ｕは上向き、矢印Ｄは下向きを示す。
【００１８】
プリンター１４１は、印刷媒体に文字、記号、画像等を印刷する印刷装置である。印刷媒体は、普通紙、熱エネルギーにより発色する感熱紙、及び合成樹脂製のシート等のいずれであってもよく、所定サイズにカットされたカットシートと連続シートのいずれであってもよい。また、印刷媒体は複写シートであってもよいし単票シートであってもよい。さらに、印刷面の裏側に粘着剤が付されたラベル用紙を用いることもできる。例えば、台紙上に剥離可能なラベル片を送り出し方向に所定の間隔を置いて複数貼付したものをロール状に巻いたラベル用紙であってもよい。また、剥離紙を持たないライナーレスラベル紙を用いる構成であってもよい。本実施形態では一例として、プリンター１４１が、粘着剤が付着していない感熱紙をロール状に巻いたロール紙１１０を収容し、このロール紙１１０にサーマル式のヘッドにより印刷を行う構成とする。
プリンター１４１は、電源として後述するバッテリー１３３を備える携帯型の印刷装置であり、プリンター用ケース１に収容したまま印刷を実行できる。
【００１９】
また、図４は、プリンター１４１を収容し、開口部８を開いた状態のプリンター用ケース１の斜視図である。図５は、開口部８、１６をともに開いた状態のプリンター用ケース１の斜視図である。図６は、プリンター１４１をプリンター用ケース１から取り出した状態の斜視図である。
図４〜図６に示すように、ケース本体１０は、前囲い部１０Ａ、底囲い部１０Ｂ、後囲い部１０Ｃ、及び、側囲い部１０Ｄ、１０Ｅを備える。また、ケース本体１０は、上部に開口部８（第１の開口部）を備えている。図４〜図６では、吊り下げ具２０の図示を省略している。前囲い部１０Ａ、底囲い部１０Ｂ、後囲い部１０Ｃ、側囲い部１０Ｄ、１０Ｅの各上縁は、枠縁を形成し、前面側の上縁１０Ａ−１が低く、背面側の上縁１０Ｃ−１が高く、両側の上縁１０Ｄ−１、１０Ｅ−１が斜めに形成されている。
【００２０】
背面側の縁１０Ｃ−１には、ケース蓋１１が取り付けられている。ケース蓋１１は、前覆い部１１Ａ、天覆い部１１Ｂ、後覆い部１１Ｃ、および、側覆い部１１Ｄ、１１Ｅで構成されている。
図７は、プリンター１４１を収容した状態でのプリンター用ケース１の断面図である。図７に示すように、後覆い部１１Ｃの末端には係止部１１Ｆが形成され、係止部１１Ｆが、ケース本体１０の上縁１０Ｃ−１の背面に縫い付け固定されている。天覆い部１１Ｂ、および、後覆い部１１Ｃは、樹脂性の芯材１２を備え、芯材１２を内側および外側から防水性を有する布材１４で覆うサンドイッチ構造となっている。係止部１１Ｆとの接続部１１Ｇは、布材１４だけで連結されている。
ケース蓋１１の前覆い部１１Ａには、ケース蓋窓１７が形成されている。このケース蓋窓１７は、窓縁１７Ｂと、透明なシート１７Ａとで構成されている。図９に示すように、ケース蓋窓１７は、プリンター１４１をプリンター用ケース１に収容しケース蓋１１を閉じた場合に、後述するプリンター１４１の電源ボタン（操作ボタン）８６、フィードボタン８７（操作ボタン）、ランプ（動作ステータスランプ）８８と重なる位置に設けられている。
シート１７Ａは、ポリエチレンテレフタラートで構成されており、柔軟性、耐久性を備えている。このシート１７Ａは、何万回とシート１７Ａの外側から電源ボタン８６、フィードボタン８７を押した場合にもシート１７Ａの変形が抑制され、使用可能な状態が維持されることが耐久試験により確認されている。
このケース蓋１１は、接続部１１Ｇで折れ曲がり、図４〜図６に示すように開かれる。
ケース蓋１１が閉じた状態では、図７に示すように、後覆い部１１Ｃが、ケース本体１０の後囲い部１０Ｃの上縁にオーバーラップし、前覆い部１１Ａが、ケース本体１０の前囲い部１０Ａの上縁にオーバーラップする。さらに、側覆い部１１Ｄ、１１Ｅ（図４〜図６参照）がケース本体１０の側囲い部１０Ｄ、１０Ｅの上縁にオーバーラップする。このように、ケース蓋１１が、上側に開口するケース本体１０の開口部８の周囲を上方から覆うため、ケース蓋１１の周囲の防水性が向上する。
【００２１】
図８は、プリンター用ケース１の断面図である。図８（Ａ）はプリンター用ケース１の断面図であり、（Ｂ）は、図８（Ａ）に符号Ｐで示す円内を拡大した要部拡大断面図である。
ケース本体１０の底囲い部１０Ｂ、および、後囲い部１０Ｃは、サンドイッチ構造となっている。すなわち、底囲い部１０Ｂ、および、後囲い部１０Ｃは、図８（Ａ）、図８（Ｂ）に示すように、芯樹脂材６７を備え、芯樹脂材６７の内面には、クッション材６５が配置され、クッション材６５の内面には、第１の防水布６３が配置されている。また、芯樹脂材６７の外面には、第２の防水布６９が配置されている。第２の防水布６９は、ケース本体１０の後囲い部１０Ｃから底囲い部１０Ｂに向けて延び、底囲い部１０Ｂの最下端において２箇所が切り欠かれ、排水口６１（図３参照）が形成されている。この構成では、ケース本体１０の上縁１０Ｃ−１の背面に、ケース蓋１１の係止部１１Ｆが縫い付けにより連結固定される。
この連結固定部は糸で縫い付けられており、プリンター用ケース１が降雨等にさらされた際には、縫い付けの糸を伝い、わずかな水がプリンター用ケース１内に浸入するおそれがある。本実施形態では、第２の防水布６９の内側に水が浸入しても、この浸入した雨水は、第２の防水布６９と芯樹脂材６７の間の間隙６８を通じ、ケース本体１０の後囲い部１０Ｃから底囲い部１０Ｂに向けて流れ、底囲い部１０Ｂ最下端の排水口６１から排水される。
【００２２】
この底囲い部１０Ｂには前囲い部１０Ａが連続して形成されている。この前囲い部１０Ａには、図１、図４に示すように、ケース本体窓１５が形成されている。このケース本体窓１５は、窓縁１５Ｂと、透明なシート１５Ａとで構成されている。ケース本体窓１５は、プリンター１４１をプリンター用ケース１に収容しケース蓋１１を閉じた場合に、後述するプリンター１４１のロール紙１１０を収納する収納部（ロール紙収納部）１１１（図７参照）と重なる位置に設けられている。
シート１５Ａは、ポリエチレンテレフタラートで構成されており、柔軟性、耐久性を備えている。このシート１５Ａは、外部からの接触があっても、変形が抑制され、使用可能な状態が維持されることが耐久試験により確認されている。
また前囲い部１０Ａには、図２に示すように、後述する印刷媒体を排出する開口部１６（第２の開口部）が、ケース本体窓１５の上部に位置するように形成されている。開口部１６の下縁１６Ａには、図７に示すように、開口部１６を閉塞自在にフラップ１３が配置されている。このフラップ１３は、上記下縁１６Ａに対し可撓制を有する連結部材１８で連結されている。フラップ１３は連結部材１８を介して、上下方向に回動自在であり、図４に示す閉塞状態と図５に示す解放状態との間で変位させることができる。図４に示す閉塞状態ではフラップ１３は開口部１６を閉塞し、図５に示す解放状態では、フラップ１３は開口部１６の下側に開く。
【００２３】
前囲い部１０Ａの開口部１６の周辺には、図５に示すように、開口部１６を囲う形状で、第１の面ファスナー３１が設けられている。また、フラップ１３の裏面には、第１の面ファスナー３１と係合する第２の面ファスナー３３が設けられている。フラップ１３の表面には、図４に示すように、帯状の第３の面ファスナー３５が設けられている。ケース蓋１１の前覆い部１１Ａの裏面には、第３の面ファスナー３５と係合する第４の面ファスナー３７が設けられている。前囲い部１０Ａの表面の下方域には、第３の面ファスナー３５と係合する第５の面ファスナー３９が設けられている。なお、フラップ１３は柔軟性のある材質で構成されており、図７中の矢印Ａで示す方向に湾曲し、ケース本体１０の底囲い部１０Ｂの曲がり形状に沿って湾曲して、第３の面ファスナー３５が第５の面ファスナー３９に係合される。
【００２４】
本実施形態では、図６の状態で、ケース本体１０の内側にプリンター１４１を収納し、図５の状態となる。図５の状態では、フラップ１３の裏面の帯状の第３の面ファスナー３５（図４参照）が、前囲い部１０Ａの表面の下方域の第５の面ファスナー３９と係合し、フラップ１３が、前囲い部１０Ａに堅固に連結されている。
第３の面ファスナー３５と第５の面ファスナー３９の係合を解除して、フラップ１３が、図４に示すように開口部１６を覆って閉じられると、前囲い部１０Ａの第１の面ファスナー３１（図５参照）と、フラップ１３の裏面の第２の面ファスナー３３が係合する。さらに、フラップ１３が、前囲い部１０Ａに堅固に連結される。
そして、図４の状態で、ケース蓋１１が閉じられると、ケース蓋１１の前覆い部１１Ａの裏面の第４の面ファスナー３７が、フラップ１３の表面の第３の面ファスナー３５と係合し、図１の状態となる。
本実施形態では、図４に示すように、開口部１６（第２の開口部）を覆ってフラップ１３が閉じられた後に、ケース蓋１１が、フラップ１３の上縁部１３Ａ（移動側部分）とオーバーラップして閉じられる。上側に向かって開口する開口部８を、その上側からケース蓋１１でフラップ１３ごと覆うことで、特に上方および斜め方向からのプリンター用ケース１の内部への雨水の浸入を防止できる。
【００２５】
ケース本体１０の後囲い部１０Ｃの裏面には、図３に示すように、吊り下げ具２０が配置されている。吊り下げ具２０は、後囲い部１０Ｃの裏面に接合されたリング保持部材２０Ａと、リング保持部材２０Ａの係合部２０Ｂに嵌合したリング２０Ｃと、リング２０Ｃに係止されたフック部材２０Ｄを一端に有する。また、吊り下げ具２０は、他端に三角形状に曲げた引っ掛け部２０Ｅを有した吊り下げ金具２０Ｆと、を備えて構成されている。
上述したように、プリンター用ケース１は吊り下げ式のケースであり、吊り下げ金具２０Ｆを、例えば使用者の腰のバンド（不図示）などに引っ掛けて使用される。この吊り下げ状態で、開口部１６は前側を向いている。プリンター１４１の使用者は、腰のバンドなどにプリンター１４１を吊り下げた状態で携帯することができ、プリンター１４１は吊り下げ状態で印刷を実行することもできる。
【００２６】
つぎに、プリンター１４１について説明する。上記プリンター用ケース１には、図４〜図６に示すように、プリンター１４１が収納されている。
プリンター１４１は、図７に示すように、上ケース１４２を有し、上ケース１４２には、操作部８５（図６参照）、開閉カバー１４４、紙切歯１４５および用紙排出口１４６が設けられている。操作部８５には、電源投入の電源ボタン８６（操作ボタン）や、ロール紙を送り出すためのフィードボタン８７（操作ボタン）、動作ステータスを示すランプ（動作ステータスランプ）８８などが設けられている。開閉カバー１４４は、一端が上ケース１４２の下端に開閉自在に支持されている。開閉カバー１４４と隣接して開閉ボタン（不図示）が上ケース１４２に配設され、不図示の開閉ボタンが押下されると、開閉カバー１４４と上ケース１４２の係合が解除され開閉カバー１４４が開くようになっている。この開閉カバー１４４を開けると、印刷媒体である、例えばロール紙１１０を収納する収納部１１１が露出し、この収納部１１１へのロール紙１１０の装填、取り出し、交換が行えるようになっている。
紙切歯１４５は、平板状の紙切歯本体１４５Ａの前縁部に形成され、紙切歯本体１４５Ａは、ロール紙１１０の送り出し方向に沿って配置されている。紙切歯１４５は、用紙排出口１４６の上縁に配置されている。
【００２７】
プリンター１４１の主要部材はメカフレーム１１２に搭載されている。プリンター１４１の前側にはロール紙１１０を収納する上述した収納部１１１が設けられ、プリンター１４１の中央には印字部１１３、および、電気回路収納部１１４が設けられている。印字部１１３は用紙排出口１４６の奥に位置し、この印字部１１３にはサーマルラインヘッド１２０、プラテン１２１、紙切歯１４５および紙送り機構（不図示）が配設されている。また、電気回路収納部１１４には、不図示の制御回路基板、スイッチ基板、印刷データ等を外部から受信する無線基板等の回路基板やバッテリー１３３が収納されている。印字部１１３の構造についてより詳細には、サーマルラインヘッド１２０は、その印字面を収納部１１１側に向けてヘッドフレームを介してメカフレーム１１２に取り付けられ、このサーマルラインヘッド１２０にプラテン１２１が対向配置されている。プラテン１２１は、開閉カバー１４４の先端部１４４Ａに回転自在に取り付けられ、図示しないローラー歯車を介して、紙送りモーター（不図示）を含む紙送り機構に連結される。プラテン１２１は、ローラー形状のプラテンであって、サーマルラインヘッド１２０との間にロール紙１１０を挟む。紙送りモーターが回転すると、この駆動力がローラー歯車を介してプラテン１２１に伝達され、これによりプラテン１２１が回転し、ロール紙１１０を搬送する。不図示のローラー歯車は開閉カバー１４４が閉じられた場合に、プリンター本体側に設置された紙送り機構の輪列と噛み合うようになっている。
【００２８】
開閉カバー１４４の先端部１４４Ａには、上記プラテン１２１のほかに、断面略三角形状の仕切壁１２２が設けられている。
仕切壁１２２は、開閉カバー１４４が閉じられた場合に収納部１１１と印字部１１３との間を仕切るものである。この仕切壁１２２の印字部１１３に臨む面には、ロール紙１１０をサーマルラインヘッド１２０とプラテン１２１との間に搬送するように傾斜した搬送面１２２Ａが形成されている。ロール紙１１０は、その巻き終わり側が、仕切壁１２２の搬送面１２２Ａに対向する案内部１５１に沿ってサーマルラインヘッド１２０とプラテン１２１との間を通過し、紙切歯１４５の下側を通って用紙排出口１４６から排出される。
【００２９】
ロール紙１１０に印字を行う際には、ロール紙１１０が、サーマルラインヘッド１２０と、プラテン１２１の間に挿入される。そして、サーマルラインヘッド１２０に印字信号を供給することにより、サーマルラインヘッド１２０の発熱体が発熱して、ロール紙１１０に印字が行われる。ロール紙１１０は、図７に示すように、用紙排出口１４６から斜め下方向へ向けて排出される。ロール紙１１０は、用紙排出口１４６から排出された後、ロール紙１１０を上方に向けて引き上げて紙切歯１４５によりカットされる。紙切歯１４５をカットしやすいように、用紙排出口１４６には、開口上部に平板状の紙切歯本体１４５Ａが備えられている。紙切歯本体１４５Ａの前縁部には、紙切歯１４５が一体に形成されている。
【００３０】
つぎに、プリンター１４１をプリンター用ケース１に収容した場合のケース蓋窓１７とプリンター１４１との対応関係、および、ケース本体窓１５とプリンター１４１との対応関係を説明する。
図９に示すように、本実施の形態では、プリンター１４１をプリンター用ケース１に収容した場合、プリンター用ケース１のケース蓋窓１７がプリンター１４１の電源ボタン８６、フィードボタン８７、ランプ８８と重なる。ケース蓋窓１７のシート１７Ａは、透明なポリエチレンテレフタラートで構成されているため、プリンター１４１をプリンター用ケース１に収容した状態で、電源ボタン８６、フィードボタン８７、ランプ８８を視認できる。
そのため、電源ボタン８６、フィードボタン８７を視認しつつ、シート１７Ａの外側から電源ボタン８６、フィードボタン８７を押すことができる。シート１７Ａはポリエチレンテレフタラートで構成されており、柔軟性、耐久性を備えることから、電源ボタン８６、フィードボタン８７を押すことによるシート１７Ａの変形を抑制でき、シート１７Ａを使用可能な状態で維持できる。
また、ランプ８８を視認できるため、プリンター１４１をプリンター用ケース１に収容した状態で、プリンター１４１の動作モードやプリンター１４１のエラー発生の有無、電源ＯＮ／ＯＦＦの有無等を視認できる。
【００３１】
また、プリンター１４１をプリンター用ケース１に収容した場合、プリンター用ケース１のケース本体窓１５がプリンター１４１のロール紙１１０を収納する収納部１１１（図７参照）と重なる。ケース本体窓１５のシート１５Ａは、透明なポリエチレンテレフタラートで構成されているため、プリンター１４１をプリンター用ケース１に収容した状態で、プリンター１４１に収納されたロール紙１１０の残量を視認できる。シート１５Ａはポリエチレンテレフタラートで構成されており、柔軟性、耐久性を備えることから、外部からの接触によるシート１５Ａの変形を抑制でき、シート１５Ａを使用可能な状態で維持できる。
【００３２】
以上のように、本発明を適用した実施の形態によれば、プリンター用ケース１は、プリンター１４１を収容する開口部８を閉塞するケース蓋１１と、印刷後のロール紙１１０を排出する開口部１６を閉塞するフラップ１３と、を備え、ケース蓋１１は開口部８を閉じたときに、開口部１６を閉じたフラップ１３の上縁部１３Ａとオーバーラップする。このため、ケース蓋１１が開かれて開口部８からプリンター１４１が収容され、その後に、ケース蓋１１が閉じられて図２に示す使用状態となる。ケース蓋１１を閉じる際には、印刷後のロール紙１１０を排出する開口部１６がフラップ１３で閉じられ、次いで、閉じられたフラップ１３の移動側部分と、ケース蓋１１とがオーバーラップして閉じられる。このため、ケース蓋１１を開くと、上縁部１３Ａの押さえがなくなり、図７に示すように、フラップ１３がケース蓋１１の開放側と反対の側に開かれるので、フラップ１３を開く操作が簡単である。さらに、上縁部１３Ａがケース蓋１１で覆われるためフラップ１３の移動側部分の防水性を確保できる。従って、シンプルな構成で、ケース蓋１１とフラップ１３により第１及び開口部１６を閉塞し、防水性を確保できる。また、上縁部１３Ａにケース蓋１１がオーバーラップした状態では、上縁部１３Ａの開放側への移動がケース蓋１１により阻害される。このため、プリンター１４１を収容したプリンター用ケース１の持ち運び時に、意図しないフラップ１３の解放を防止できるという利点がある。
【００３３】
また、プリンター用ケース１は吊り下げ式のケースであり、図１及び図２に示す吊り下げ状態で開口部８が上向きに開口する。このため、ケース蓋１１を開くことで、吊り下げ状態で開口部８からプリンター１４１を簡単に出し入れできる。また、プリンター用ケース１のケース蓋１１は開口部８の縁を覆うので、ケース蓋１１との間に隙間がなく、開口部８における防水性を確保できる。また、開口部８が上向きに開口し、ケース蓋１１が開口部８の縁を覆う構成とすれば、吊り下げ状態でプリンター１４１の出し入れが容易で、かつプリンター１４１を出し入れする開口部を防水可能なケースを、容易に実現できる。また、例えば、開口部８の縁とともにフラップ１３の上縁部１３Ａを覆うシンプルな構成により、ケース蓋１１で開口部８及びフラップ１３の上縁部１３Ａを防水できる。
【００３４】
また、フラップ１３は開口部１６の下側に開くので、吊り下げ状態においてフラップ１３を容易に開くことができ、吊り下げ状態のままプリンター１４１がロール紙１１０を排出可能となる。また、この構成ではフラップ１３の上縁部１３Ａが開口部１６の上側となるが、この上縁部１３Ａにケース蓋１１がオーバーラップするので、フラップ１３の端部の防水性も確保できる。さらに、フラップ１３が下側に開くため、開口部１６の上側に障害物のない構造とすることができる。
【００３５】
上記構成では、プリンター１４１が有する用紙排出口１４６が開口部１６に露出し、この用紙排出口１４６またはその近傍に紙切歯１４５を配置して、ロール紙１１０をカット可能な構成とした。この構成では、吊り下げ状態における利便性を鑑み、紙切歯１４５を上部に、下向きに設け、用紙排出口１４６から排出されたロール紙１１０を上向きに引っ張ることで、ロール紙１１０が紙切歯１４５に当たって切断される。
プリンター用ケース１では、フラップ１３が開口部１６の下側に開くため、開いたフラップ１３がロール紙１１０をカットする操作を妨げず、容易にロール紙１１０をカットできる。
【００３６】
また、プリンター用ケース１は、フラップ１３が閉塞する開口部１６の縁に第１の面ファスナー３１を設け、第１の面ファスナー３１と係合する第２の面ファスナー３３をフラップ１３の裏面に設け、フラップ１３の表面に第３の面ファスナー３５を設けた構成である。第３の面ファスナー３５と係合する第４の面ファスナー３７をケース蓋１１に設け、第３の面ファスナー３５はフラップ１３が開いたときにケース側の第５の面ファスナー３９と係合する。従って、面ファスナー同士を係合させることで、フラップ１３およびケース蓋１１の開閉時の何れの場合も、フラップ１３およびケース蓋１１を堅固に固定できる。例えば、フラップ１３にケース蓋１１がオーバーラップする構成として、オーバーラップ部分に面ファスナーを配置すれば、ケース蓋１１とフラップ１３、及び、フラップ１３と開口部１６の縁を強く固定できる。
【００３７】
また、本実施の形態では、ケース本体１０の上縁１０Ｃ−１の背面に、ケース蓋１１の係止部１１Ｆが縫い付けにより連結固定されるなど、糸による縫い付け固定がなされている。そのため、プリンター用ケース１が降雨等にさらされた際には、縫い付けの糸を伝い、わずかな水がプリンター用ケース１内に浸入するおそれがある。もっとも、ケース本体１０の底囲い部１０Ｂの最下端に排水口６１を設けている。
そのため、仮に水がプリンター用ケース１内、すなわち第２の防水布６９の内側に浸入したとしても、この浸入した雨水は、第２の防水布６９と芯樹脂材６７の間の間隙６８を通じ、排水口６１から水を排除することができる。
【００３８】
また、本実施の形態によれば、ケース蓋１１に、ケース蓋窓１７が形成されている。このケース蓋窓１７は、窓縁１７Ｂと、透明なシート１７Ａとで構成される。
本構成によれば、プリンター用ケース１にプリンター１４１を収容しケース蓋１１を閉じた場合に、ケース蓋窓１７が、プリンター１４１の電源ボタン８６、フィードボタン８７、ランプ８８と重なる位置に配置される。
そのため、プリンター１４１をプリンター用ケース１に収容した状態のままでランプ８８を視認でき、プリンター１４１の動作モードや、プリンター１４１のエラー発生の有無、電源ＯＮ／ＯＦＦの有無等を視認できる。
また、プリンター１４１をプリンター用ケース１に収容した状態のままで電源ボタン８６、フィードボタン８７を視認できる。
【００３９】
また、本実施の形態によれば、透明なシート１７Ａは柔軟性、耐久性を備えたポリエチレンテレフタラートを素材として用いて構成した。
本構成によれば、プリンター１４１をプリンター用ケース１に収容した状態のまま電源ボタン８６、フィードボタン８７を視認でき、シート１７Ａの外側から電源ボタン８６、フィードボタン８７を押すことがきる。シート１７Ａは柔軟性、耐久性を備えたポリエチレンテレフタラートを素材として用いているため、何万回とシート１７Ａの外側から電源ボタン８６、フィードボタン８７を押した場合にもシート１７Ａの変形が抑制でき、シート１７Ａを使用可能な状態で維持できる。なお、シート１７Ａが折れる、あるいは変形することがないことは、何万回とシート１７Ａの外側から電源ボタン８６、フィードボタン８７を押す耐久試験により確認されている。
また、シート１７Ａにポリエチレンテレフタラートを用いたため、プリンター用ケース１が廃棄されるにあたり焼却しても環境を害しない。
【００４０】
また、本実施の形態によれば、ケース本体１０の前囲い部１０Ａにケース本体窓１５が形成されている。このケース本体窓１５は、窓縁１５Ｂと、透明なシート１５Ａとで構成される。
プリンター用ケース１にプリンター１４１を収容しケース蓋１１を閉じた場合に、ケース本体窓１５が、プリンター１４１の収納部（ロール紙収納部）１１１（図７参照）と重なる位置に配置される。
そのため、プリンター１４１をプリンター用ケース１に収容した状態のまま、ロール紙１１０の残量を視認できる。
【００４１】
また、本実施の形態によれば、透明なシート１５Ａは柔軟性、耐久性を備えたポリエチレンテレフタラートを素材として用いて構成した。
本構成によれば、シート１５Ａの部分が外部と接触した場合にも、シート１５Ａの変形を抑制でき、シート１５Ａを使用可能な状態で維持できる。
また、シート１５Ａにポリエチレンテレフタラートを用いたため、プリンター用ケース１が廃棄されるにあたり焼却しても環境を害しない。
【００４２】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【００４３】
例えば、上述の実施の形態では、フラップ１３とケース本体１０との固定、および、フラップ１３とケース蓋１１との固定に面ファスナーを用いたが、必ずしも面ファスナーでなくてもよい。例えば、これらをボタンで固定することが可能である。
また、例えば、上述の実施の形態では、サーマルタイプのプリンター１４１を用いた実施形態を説明したが、これに限定されず、例えばインクジェットタイプを初めとするその他の小型プリンターであっても良い。
また、例えば、上述した実施の形態では、紙送りするためのローラーがプラテンを兼ねたプラテンローラーの実施形態について説明したが、紙送りローラーとは別に、独立したプラテンを有する小型ラベルプリンターであっても良い。
【符号の説明】
【００４４】
１…プリンター用ケース、８…開口部（第１の開口部）、１０…ケース本体、１１…ケース蓋、１２…芯材、１４…布材、１３…フラップ、１５…ケース本体窓、１６…開口部（第２の開口部）、１７…ケース蓋窓、２０…吊り下げ具、３１…第１の面ファスナー、３３…第２の面ファスナー、３５…第３の面ファスナー、３７…第４の面ファスナー、３９…第５の面ファスナー、６１…排水口、６３…第１の防水布、６５…クッション材、６７…芯樹脂材、６９…第２の防水布、８５…操作部、８６…電源ボタン（操作ボタン）、８７…フィードボタン（操作ボタン）、８８…ランプ（動作ステータスランプ）、１１０…ロール紙、１１３…印字部、１２０…サーマルラインヘッド、１２１…プラテンローラー、１４１…プリンター（印刷装置）、１４５…紙切歯、１４６…用紙排出口。
【図１】
2016005889.tif 000003
【図２】
2016005889.tif 000004
【図３】
2016005889.tif 000005
【図４】
2016005889.tif 000006
【図５】
2016005889.tif 000007
【図６】
2016005889.tif 000008
【図７】
2016005889.tif 000009
【図８】
2016005889.tif 000010
【図９】
2016005889.tif 000011